(57)【特許請求の範囲】
【請求項１】
載置物を免震支持する免震装置であって、
地面側の部材に固定される固定板と、
前記固定板の上面を摺動面として水平方向に摺動可能に載置される滑動板と、
前記滑動板の上面に載置されて、前記載置物の重量を受けて当該重量を前記滑動板へ伝達する受圧板と、を有し、
前記摺動面の静止摩擦係数は、前記摺動面の面圧の大きさによって変化し、
前記受圧板は、水平方向に隣り合う複数の分割板が、連結部材によって連結されて構成され、
前記複数の分割板のうちで互いに隣り合う分割板同士は、前記連結部材を介して鉛直荷重が伝達されるように連結されており、
前記固定板が固定される前記地面側の部材は、床面であり、
前記載置物は、電気器具と、前記電気器具に電力供給する電気プラグ付きの電源ケーブルと、を有し、
前記床面には、前記電気プラグが着脱可能に接続される電気コンセントが固設されており、
前記電気コンセントは、前記電気プラグを磁力で取り付けるマグネット方式のコンセントか、或いは非接触で前記電気プラグへ給電する非接触給電方式のコンセントであり、
前記電気コンセントから前記電気プラグが外れた際に、前記電気プラグが空中へ浮くように前記電気プラグを引き上げ支持する引き上げ支持部材が、前記電気プラグと前記載置物との間に介装されていることを特徴とする免震装置。
【請求項２】
載置物を免震支持する免震装置であって、
地面側の部材に固定される固定板と、
前記固定板の上面を摺動面として水平方向に摺動可能に載置される滑動板と、
前記滑動板の上面に載置されて、前記載置物の重量を受けて当該重量を前記滑動板へ伝達する受圧板と、を有し、
前記摺動面の静止摩擦係数は、前記摺動面の面圧の大きさによって変化し、
前記受圧板は、水平方向に隣り合う複数の分割板が、連結部材によって連結されて構成され、
前記複数の分割板のうちで互いに隣り合う分割板同士は、前記連結部材を介して鉛直荷重が伝達されるように連結されており、
前記載置物は、前記載置物の重量を支持する脚部を有し、
前記受圧板の上面のうちで前記脚部の周囲を囲む位置には、前記脚部の前記受圧板に対する水平相対移動を、前記脚部に当接することにより規制する規制部材が固定されており、
前記脚部の下端部は、前記規制部材に貫通形成された孔の内側に収容されていることを特徴とする免震装置。
【請求項３】
請求項２に記載の免震装置であって、
前記孔の内周面と前記下端部との間には、所定のクリアランスが全周に亘って形成されていることを特徴とする免震装置。
【請求項４】
請求項１乃至３のいずれかに記載の免震装置であって、
前記固定板が固定される前記地面側の部材は、床面であり、
前記床面のうちで前記固定板が固定される面の高さは、前記床面のうちで前記固定板を囲む周囲の面の高さよりも高くなっていることを特徴とする免震装置。
【発明の詳細な説明】
【技術分野】
【０００１】
本発明は、美術館や博物館等において展示品の展示に使用される免震装置に関する。
【背景技術】
【０００２】
美術館や博物館等の展示品は、展示ケース等を介して免震装置に載置されており、これにより、地震動等の水平振動から保護されている（特許文献１）。
【先行技術文献】
【特許文献】
【０００３】
【特許文献１】特開２００８−１８５１５１号公報
【発明の概要】
【発明が解決しようとする課題】
【０００４】
この免震装置１１０の一例として、図１Ａ及び図１Ｂに示すものが挙げられる。すなわち、図１Ａの上面図及び図１Ｂの側面図に示すように、この免震装置１１０は、展示室の床面２に固定される固定板１１１と、固定板１１１の上面を摺動面１１１ａとして水平方向に摺動可能に載置される滑動板１１３と、を有し、滑動板１１３の上方に展示ケース５０が載置される。そして、上記摺動面１１１ａの静止摩擦係数の設定により、所定震度以内の床面２の水平振動に対しては、固定板１１１と滑り板１１３とは摺動しないが、所定震度を超える床面２の水平振動に対しては、滑動板１１３が固定板１１１に対して速やかに摺動し、これにより、展示ケース５０内に収容支持された不図示の展示品への過大な振動の入力を防ぎ、その破損を防止する。
【０００５】
かかる免震装置１１０の上記摺動面１１１ａの静止摩擦係数は、面圧依存性を有することがある。すなわち、面圧に応じて静止摩擦係数の値が変化し得る。そのため、摺動面１１１ａの全面に亘って面圧が略均一に作用していないと、計画通りの静止摩擦係数を得難くなり、結果、上述の所定震度での固定板１１１と滑り板１１３との摺動を期待できなくなる。
【０００６】
他方、展示品を収容支持する展示ケース５０には、高い水平度が要求される。そのため、展示ケース５０の各脚部５２，５２…には、上下方向に伸縮可能なアジャスター機能付き脚部が採用されることが多いが、そうすると、免震装置１１０における脚部５２の当接部位にのみ選択的に展示品及び展示ケース５０の重量が集中して働いて、結果、免震装置１１０の上記摺動面１１１ａには面圧が不均一にかかってしまう。
【０００７】
ここで、当該集中荷重の問題を回避する方法として、例えば、この免震装置１１０の滑動板１１３の直上に、滑動板１１３と略同じ平面サイズの高剛性の鋼製厚板を受圧板１２０として敷くとともに、その上に展示ケース５０を載せることが挙げられる。そして、この構成によれば、当該高剛性の受圧板１２０を介して上記展示品や展示ケース５０の重量が滑動板１１３に伝達されるので、上記のような脚部５２を用いた場合であっても、滑動板１１３は、摺動面１１１ａの全面に亘って面圧を略均一に作用させることができて、結果、静止摩擦係数の安定化を図ることができる。
【０００８】
このような受圧板１２０の平面サイズは、展示ケース５０の平面サイズに応じて決まる。すなわち、展示ケース５０の平面サイズが大きい場合には、受圧板１２０の平面サイズも大きくなる。しかし、その場合には、展示室内への免震装置１１０の設置作業や展示室内の配置変え作業の際に、受圧板１２０の重量が重すぎてその運搬に支障を来す虞があった。
【０００９】
本発明は、上記のような従来の問題に鑑みなされたものであって、その目的は、免震装置が具備する受圧板の面圧均一化機能を概ね損ねずに、同受圧板を容易に運搬可能にすることにある。
【課題を解決するための手段】
【００１０】
かかる目的を達成するために請求項１に示す発明は、
載置物を免震支持する免震装置であって、
地面側の部材に固定される固定板と、
前記固定板の上面を摺動面として水平方向に摺動可能に載置される滑動板と、
前記滑動板の上面に載置されて、前記載置物の重量を受けて当該重量を前記滑動板へ伝達する受圧板と、を有し、
前記摺動面の静止摩擦係数は、前記摺動面の面圧の大きさによって変化し、
前記受圧板は、水平方向に隣り合う複数の分割板が、連結部材によって連結されて構成され、
前記複数の分割板のうちで互いに隣り合う分割板同士は、前記連結部材を介して鉛直荷重が伝達されるように連結されており、
前記固定板が固定される前記地面側の部材は、床面であり、
前記載置物は、電気器具と、前記電気器具に電力供給する電気プラグ付きの電源ケーブルと、を有し、
前記床面には、前記電気プラグが着脱可能に接続される電気コンセントが固設されており、
前記電気コンセントは、前記電気プラグを磁力で取り付けるマグネット方式のコンセントか、或いは非接触で前記電気プラグへ給電する非接触給電方式のコンセントであり、
前記電気コンセントから前記電気プラグが外れた際に、前記電気プラグが空中へ浮くように前記電気プラグを引き上げ支持する引き上げ支持部材が、前記電気プラグと前記載置物との間に介装されていることを特徴とする。
【００１１】
請求項２に示す発明は、
載置物を免震支持する免震装置であって、
地面側の部材に固定される固定板と、
前記固定板の上面を摺動面として水平方向に摺動可能に載置される滑動板と、
前記滑動板の上面に載置されて、前記載置物の重量を受けて当該重量を前記滑動板へ伝達する受圧板と、を有し、
前記摺動面の静止摩擦係数は、前記摺動面の面圧の大きさによって変化し、
前記受圧板は、水平方向に隣り合う複数の分割板が、連結部材によって連結されて構成され、
前記複数の分割板のうちで互いに隣り合う分割板同士は、前記連結部材を介して鉛直荷重が伝達されるように連結されており、
前記載置物は、前記載置物の重量を支持する脚部を有し、
前記受圧板の上面のうちで前記脚部の周囲を囲む位置には、前記脚部の前記受圧板に対する水平相対移動を、前記脚部に当接することにより規制する規制部材が固定されており、
前記脚部の下端部は、前記規制部材に貫通形成された孔の内側に収容されていることを特徴とする。
【００１２】
請求項３に示す発明は、
請求項２に記載の免震装置であって、
前記孔の内周面と前記下端部との間には、所定のクリアランスが全周に亘って形成されていることを特徴とする。
【００１５】
請求項４に示す発明は、請求項１乃至３のいずれかに記載の免震装置であって、
前記固定板が固定される前記地面側の部材は、床面であり、
前記床面のうちで前記固定板が固定される面の高さは、前記床面のうちで前記固定板を囲む周囲の面の高さよりも高くなっていることを特徴とする。
【００１６】
上記請求項４に示す発明によれば、免震すべく固定板上を摺動する滑動板の一部が、固定板から側方にはみ出す際に、当該はみ出した部分が床面に当接して擦ってしまい、滑動板の摺動を制止してしまう虞があるが、これを有効に防ぐことができる。すなわち、床面のうちで固定板が固定される面の高さは、その周囲の面の高さよりも高くなっているので、その分だけ滑動板はより高い位置を移動することになる。よって、固定板からはみ出した滑動板の部分が、床面における上記周囲の面に当接し難くなり、結果、滑動板の摺動は維持され、これにより、当該免震装置は計画通りの免震性を発揮することができる。
【発明の効果】
【００２０】
本発明によれば、免震装置が具備する受圧板の面圧均一化機能を概ね損ねずに、同受圧板を容易に運搬可能になる。
【図面の簡単な説明】
【００２１】
【図１】図１Ａは、参考例の免震装置１１０の上面図であり、図１Ｂは同側面図である。
【図２】図２Ａは本実施形態の免震装置１０の上面図であり、図２Ｂは側面図である。
【図３】図３Ａは、連結部材２２の拡大上面図であり、図３Ｂは同側面図である。
【図４】図４Ａは、脚部５２及び規制部材２７を拡大して示す側断面図であり、図４Ｂは、図４Ａ中のＢ−Ｂ矢視図である。
【図５】図５Ａ乃至図５Ｃは、展示ケース５０が照明器具を有する場合の問題点の説明図である。
【図６】図６Ａ乃至図６は、上記問題点を解決するための工夫の説明図である。
【図７】図７Ａ及び図７Ｂは、本実施形態の免震装置１０の望ましい構成の説明図である。
【発明を実施するための形態】
【００２２】
＝＝＝本実施形態＝＝＝
図２Ａ及び図２Ｂは、本実施形態の免震装置１０の説明図である。図２Ａは免震装置１０を上方から見た平面図たる上面図であり、図２Ｂは、図２Ａ中のＢ−Ｂ矢視図たる側面図である。
【００２３】
この免震装置１０は、例えば、美術館や博物館等の展示室の床面２上に設けられる。そして、展示室内の展示品（不図示）を展示ケース５０ごと免震支持し、これにより、地震から展示品を保護する。
【００２４】
免震装置１０は、床面２（「地面側の部材」に相当）に固定される固定板１１と、固定板１１の上面を摺動面１１ａとして水平方向に摺動可能に載置される滑動板１３と、滑動板１３の上面に載置されて、展示品及び展示ケース５０（「載置物」に相当）の重量を受けつつ当該重量を滑動板１３へ伝達する受圧板２０と、を有する。
【００２５】
固定板１１は、床面２上に水平配置された1.0ｍｍ〜2.5ｍｍ程度の厚み（平均厚み）のステンレス板を本体とし、その水平な上面が摺動面１１ａとなる。一方、滑動板１３は、例えば、少なくとも下面が樹脂コーティングされた1.0ｍｍ〜2.0ｍｍ程度の厚み（平均厚み）の鋼板であり、この下面が摺動面１３ａとして、固定板１１の上面たる上記摺動面１１ａに当接している。そして、所定面圧が摺動面１１ａ，１３ａの全面に亘って略均一に作用する条件の下では、所定レベルの地震動の際に、所定の静止摩擦係数で摺動を開始する。
【００２６】
すなわち、所定震度以内の床面２の水平振動に対しては、固定板１１と滑り板１３とは摺動しないが、所定震度を超える床面２の水平振動に対しては、滑動板１３が固定板１１に対して速やかに摺動するように上記の静止摩擦係数が設定されており、これにより、展示ケース５０内に収容支持された展示品への過大な振動の入力を防ぎ、その破損を防止する。なお、地震動が落ち着いた後には、固定板１１に対して水平方向のずれた位置に移動した滑り板１３や受圧板２０を、手作業によりスライド等して、図２Ａ及び図２Ｂのような正規の位置に戻すことになる。
【００２７】
かかる固定板１１及び滑動板１３は、その平面サイズに関して統一された規格寸法を有していても良く、本実施形態ではそうなっている。そして、更に、この例では、固定板１１の規格寸法と滑動板１３の規格寸法とは互いに同寸に揃っていて、それぞれ、例えば５００×５００ｍｍの矩形平板を分割不能な一単位としている。ここでは、当該規格寸法の矩形平板のことを、それぞれ単位固定板１１ｓ及び単位滑動板１３ｓと言う。
【００２８】
また、図２Ａに示すように、これよりも小さいサイズが必要な場合には、これら単位固定板１１ｓ及び単位滑動板１３ｓを必要サイズに切断し、これらを、端数固定板１１ｓ’及び端数滑動板１３ｓ’として使用しても良い。なお、以下の説明では、説明の都合上、これら単位固定板１１ｓ及び端数固定板１１ｓ’を総称して、分割固定板１１ｓと言い、また、単位滑動板１３ｓ及び端数滑動板１３ｓ’を総称して、分割滑動板１３ｓと言う。
【００２９】
そして、免震装置１０として使用する際には、展示ケース５０の平面形状に対応させながら、その平面サイズが展示ケース５０の平面サイズとほぼ同等のサイズとするか、または展示ケース５０の平面サイズより大きいサイズとなるように、展示室の床面２に、複数枚の分割固定板１１ｓ，１１ｓ…を配置する。この時、互いに隣り合う分割固定板１１ｓ，１１ｓ同士が端縁にて突き合わされるようにする。これにより、これら分割固定板１１ｓ，１１ｓ…は、互いに隣り合う分割固定板１１ｓ，１１ｓ同士の間にほぼ隙間無く且つ上下に段差無く敷き詰められる。そうしたら、次に、各分割固定板１１ｓの上面１１ａに、分割固定板１１ｓと同様の配置パターンで、同数の分割滑動板１３ｓを配置する。この時、上述の分割固定板１１ｓの場合と同様、互いに隣り合う分割滑動板１３ｓ，１３ｓ同士が端縁にて突き合わされるようにする。これにより、これら分割滑動板１３ｓ，１３ｓ…は、互いに隣り合う分割滑動板１３ｓ，１３ｓ同士の間にほぼ隙間無く且つ上下にほぼ段差無く敷き詰められる。
【００３０】
例えば、図２Ａ及び図２Ｂの例では、展示ケース５０の平面サイズが、２４００ｍｍ×８００ｍｍの矩形サイズよりも若干大きいサイズである。そのため、これに倣って、分割固定板１１ｓ，１１ｓ…にあっては、水平方向に縦２列×横５列の計１０枚が敷き詰められ、これにより、２４００ｍｍ×８００ｍｍの平面サイズの分割固定板１１ｓ，１１ｓ…の一群が形成されている。そして、当該一群が、全体として一枚の固定板１１として機能する。  
また、当該分割固定板１１ｓ，１１ｓ…の一群たる固定板１１の上面１１ａには、同様に１０枚の分割滑動板１３ｓ，１３ｓ…が、水平方向に縦２列×横５列で敷き詰められ、これにより、２４００ｍｍ×８００ｍｍの平面サイズの分割滑動板１３ｓ，１３ｓ…の一群が形成されている。そして、当該一群が、摺動時に、全体として一枚の滑動板１３として機能するように、水平方向に隣り合う分割滑動板１３ｓ，１３ｓ同士は順次連結され、これにより全ての分割滑動板１３ｓ，１３ｓ…は一体化されている。
【００３１】
かかる分割滑動板１３ｓ，１３ｓ同士の連結は、例えば粘着テープ等の適宜な連結部材（不図示）を、分割滑動板１３ｓ，１３ｓ同士の境界を跨らせながら、これら分割滑動板１３ｓ，１３ｓの上面に貼り付けることでなされる。また、分割固定板１１ｓ，１１ｓ…の床面２への固定は、分割固定板１１ｓの下面と床面２との間に接着剤（不図示）を介在させるか、或いは両面テープ（不図示）を介在させることにより行われる。
【００３２】
受圧板２０は、展示品及び展示ケース５０の重量を、滑動板１３の略全平面に亘って均一な面圧で滑動板１３に伝達するためのものである。すなわち、展示ケース５０は、図２Ａ及び図２Ｂに示すように下方に突出した複数（この例では４つ）の脚部５２，５２…を有する。そして、これら脚部５２，５２…を介して当該重量が滑動板１３に局所的に作用し得るが、その場合には、前述した静止摩擦係数の面圧依存性に基づいて全体的に静止摩擦係数が計画値からずれてしまう。より詳しくは、脚部５２が当接する部位の下方の摺動面１１ａ，１３ａでの面圧と、脚部５２が当接しない部位の下方の摺動面１１ａ，１３ａでの面圧とが互いに異なってしまい、そうすると、互いの静止摩擦係数が異なる結果、全体として計画通りの静止摩擦係数を得難くなる。
【００３３】
この点につき、図２Ｂのように受圧板２０を滑動板１３の上に載置すれば、各脚部５２，５２…から受圧板２０へ付与される集中荷重が、受圧板２０の厚み方向に伝達される間に、略均一な面圧に変換されて滑動板１３に伝達され、これにより、滑動板１３の摺動面１３ａと固定板１１の摺動面１１ａとの間の静止摩擦係数は、全面に亘って略均一となり、その結果、摺動面１１ａ，１３ａの略全面に亘って、静止摩擦係数をほぼ一定に揃えることができる。
【００３４】
なお、かかる面圧均一化機能を確実に受圧板２０が奏するためには、その上下方向の剛性を高めるべく或る程度の厚みが受圧板２０には必要であり、そのため、この例では１２ｍｍ厚の鋼製厚板が使用されている。
【００３５】
また、かかる受圧板２０の平面サイズは、分割滑動板１３ｓ，１３ｓの一群たる滑動板１３の平面サイズと同サイズ又はこれよりも若干広いサイズに設定されている。但し、受圧板２０が厚板であることに起因してその重量が重いことから、本実施形態では、その運搬性を考慮して受圧板２０を運搬可能なサイズに分割しており、つまり、複数の分割板２０ｓ，２０ｓ…が一体に連結されて受圧板２０が形成されている。
【００３６】
例えば、この例では、受圧板２０は、前述の滑動板１３（分割滑動板１３ｓ，１３ｓ…の一群）の平面サイズを三分割した平面サイズに分割されている。より具体的に言えば、滑動板１３の平面サイズは２４００ｍｍ×８００ｍｍであるので、このサイズを三分割してなる受圧板２０の分割板２０ｓは、約８００×８００ｍｍの矩形平板を分割不能な一単位としている。そして、これら三枚の分割板２０ｓ，２０ｓ，２０ｓが、連結部材２２，２２…にて連結一体化されている。
【００３７】
ここで、互いに隣り合う分割板２０ｓ，２０ｓ同士は、連結部材２２を介して鉛直荷重が伝達されるように連結されている（以下、この連結のことを「剛結合」ともいう）。よって、当該分割板２０ｓ，２０ｓ，２０ｓの形態でも、これら三枚がひとまとまりとなって概ね一枚の高剛性の受圧板２０として機能し得て、その結果、展示ケース５０の脚部５２の形態によらず、上述の面圧均一化機能を発揮することができる。詳しくは次の通りである。
【００３８】
例えば、図２Ａに示すように、展示ケース５０がその四隅に一つずつ計４個の脚部５２，５２，５２，５２を有し、且つこれら脚部５２，５２…が三枚の分割板２０ｓ，２０ｓのうちで両端の二枚の分割板２０ｓ，２０ｓにのみ配置され、真ん中の分割板２０ｓに配置されない場合に、分割板２０ｓ，２０ｓ同士が剛結合されていないと、真ん中の分割板２０ｓには、展示品及び展示ケース５０の重量が一切作用しないので、両端の分割板２０ｓ，２０ｓの下方の滑動板１３及び固定板１１の摺動面１３ａ，１１ａの面圧と、真ん中の分割板２０ｓの下方の滑動板１３及び固定板１１の摺動面１３ａ，１１ａの面圧とが、互いに大きく相違することなる。つまり、面圧均一化機能を損ねてしまうことになり、結果、摺動面１１ａ，１３ａの静止摩擦係数を全体として計画値に設定し難くなる。
【００３９】
この点につき、本実施形態のように隣り合う分割板２０ｓ，２０ｓ同士を連結部材２２により剛結合させていれば、脚部５２が配置されない真ん中の分割板２０ｓにも、展示品及び展示ケース５０の重量が、連結部材２２を介して両端の分割板２０ｓ，２０ｓから速やかに伝達される。よって、真ん中の分割板２０ｓの下方の摺動面１３ａ，１１ａの面圧と、両端の分割板２０ｓ，２０ｓの下方の摺動面１３ａ，１１ａの面圧とは、概ね同じ大きさに揃えられ、結果、受圧板２０の面圧均一化機能は損なわれずに発揮される。これにて、摺動面１１ａ，１３ａの静止摩擦係数を全体として計画値に設定し易くなる。
【００４０】
図３Ａは連結部材２２の拡大上面図であり、図３Ｂは同側面図である。本実施形態では、かかる剛結合をするための連結部材２２として連結プレート２２を使用している。連結プレート２２は、隣り合う分割板２０ｓ，２０ｓ同士の境界を跨ぎつつ各分割板２０ｓ，２０ｓの上面に架け渡されてボルト２４，２４…で固定されている。詳しくは、当該連結プレート２２は、その下面２２ｂを分割板２０ｓの上面２０ｓａに面接触した状態で、ボルト２４，２４…により分割板２０ｓに締結固定されており、これにより、連結プレート２２と下面２２ｂと分割板２０ｓの上面２０ｓａとは、ボルト２４の軸力に基づく所定の圧接力で圧接されている。また、連結プレート２２は、上下方向たる厚み方向の剛性が高いプレートであり、上下方向に撓み変形し難いものである。この例では、厚さ１２ｍｍの鋼製厚板が使用されている。そして、このような連結プレート２２を用いれば、当該連結プレート２２を介して、隣り合う分割板２０ｓ，２０ｓ同士の間の鉛直荷重の伝達が速やかになされ、その結果として、分割構造の受圧板２０にあっても、問題なく面圧均一化機能を発揮することができる。  
ちなみに、「剛結合」の定義については、例えば「鉛直面内のモーメントを伝達可能な連結構造」と表現することもできる。
【００４１】
このような連結部材２２は、例えば図２Ａの例では、分割板２０ｓ，２０ｓ同士の間の境界線の両端位置Ｐ２２，Ｐ２２にそれぞれ一つずつ配置されており、これにより、互いに隣り合う分割板２０ｓ，２０ｓのうちの一方の分割板２０ｓから他方の分割板２０ｓへの鉛直荷重の伝達が略均一に行われる。なお、この鉛直荷重の伝達作用を高めるべく、連結部材２２を、上述の両端位置Ｐ２２，Ｐ２２同士の間の任意の位置に追設しても良く、例えば、両端位置Ｐ２２，Ｐ２２の中間位置に追設しても良い。
【００４２】
また、望ましくは、図４Ａ及び図４Ｂに示すように、受圧板２０の上面における展示ケース５０の脚部５２に対応する位置には、脚部５２の水平移動を規制する規制部材２７が固設されていると良い。なお、図４Ａは、脚部５２及び規制部材２７を拡大して示す側断面図であり、図４Ｂは、図４Ａ中のＢ−Ｂ矢視図である。
【００４３】
この例では、脚部５２は、アジャスター機能を有する。すなわち、脚部５２は、例えば展示ケース５０の底部５０ａに上端部５３ａが固定された鉛直棒部材５３と、鉛直棒部材５３の下端部５３ｂに螺合しつつ受圧板２０の上面に当接する皿部材５４と、を有している。そして、皿部材５４を鉛直棒部材５３に対して螺合回転することにより、皿部材５４の上下方向の位置を調整可能であり、これにより脚部５２の着座高さが調節される。
【００４４】
他方、規制部材２７は、脚部５２の周囲を囲む位置に配置されている。この例では、脚部５２の皿部材５４の平面形状が略円形であることから、規制部材２７としては、平面中心部に円孔２７ｈが貫通形成された矩形プレート２７が使用されている。より詳しくは、受圧板２０の上面に、矩形状の規制プレート２７がボルト２９，２９…により相対移動不能に固定された状態において、規制プレート２７の上記円孔２７ｈの内側に、脚部５２の皿部材５４が収容されている。そして、この収容状態においては、円孔２７ｈの内周面２７ｈａと皿部材５４との間には、所定のクリアランスが全周に亘って形成されている。よって、地震動等の水平振動により、展示ケース５０が受圧板２０に対して上記クリアランス以上水平移動した際には、規制プレート２７の円孔２７ｈの内周面２７ｈａに皿部材５４が当接して、それ以上の移動を不能に規制する。これにより、受圧板２０の上面からの展示ケース５０の脱落を防ぐことができる。
【００４５】
かかる規制部材２７は、全ての脚部５２，５２…に対してそれぞれ設けても良いが、少なくとも互いに平面位置の異なる２つの脚部５２，５２に対して設ければ、展示ケース５０の受圧板２０に対する水平移動を規制することができる。
【００４６】
ところで、展示品によっては、展示ケース５０に照明器具（「電気器具」に相当し、不図示）を設置して例えば下方からライトアップすることがある。その場合には、図５Ａの側断面図に示すように、展示室の床面２に電気コンセント６１が固設され、また、展示ケース５０の底部５０ａには、照明器具の電源ケーブル６２が敷設され、電源ケーブル６２の末端の電気プラグ６３が、上記電気コンセント６１の上面に上方から接続されることにより、照明器具は給電される。
【００４７】
このような展示ケース５０において、図５Ｂに示すように地震時に滑動板１３が固定板１１に対して摺動すると、滑動板１３や受圧板２０と一緒に展示ケース５０も水平移動することになるが、ここで、仮に、電源ケーブル６２の余長を超えて展示ケース５０が水平移動した際に電気プラグ６３が電気コンセント６１から外れないと、電源ケーブル６２が展示ケース５０を引っ張ることになる。つまり、展示ケース５０の水平移動を制止する制止力が電源ケーブル６２を通じて展示ケース５０に付与されて、結果、展示ケース５０の免震状態を阻害する虞がある。
【００４８】
また、図５Ｃに示すように電気プラグ６３が外れた場合であっても、当該外れた電気プラグ６３が床面２上に載った状態になっていると、上述の滑動板１３の摺動時に、電気プラグ６３や電源ケーブル６２が床面２を摺りながら移動することとなって、これによっても、電源ケーブル６２を介して展示ケース５０には制止力が付与されて、展示ケース５０の免震状態が阻害される虞がある。
【００４９】
更に、同図５Ｃに示すように、これら電気プラグ６３の先端部や電源ケーブル６２が、床面２と滑動板１３との間に挟み込まれた場合にも、滑動板１３は制止され、これによっても展示ケース５０の免震状態は阻害され得る。
【００５０】
そのため、これら免震状態を阻害する要因に対処すべく、本実施形態では、電源ケーブル６２等に関して幾つかの工夫をしている。以下、これについて説明する。  
先ず、一つ目の工夫としては、この電気コンセント６１に、マグネット方式のコンセント６１を使用している。このマグネット方式のコンセント６１は、接続時に電気プラグ６３と対向すべき面に磁石が内蔵されたものであり、その磁力でもって電気プラグ６３を接続状態に保持する。但し、磁力を超える大きさの外力が離間方向に作用すると、比較的容易に電気プラグ６３は外れる。従って、図６Ｂに示すように滑動板１３と一緒に水平移動する展示ケース５０の電源ケーブル６２が余長限界に達して張った際には、速やかに電気プラグ６３が電気コンセント６１から外れ、これにより、展示ケース５０の水平移動を制止する制止力が、電源ケーブル６２から展示ケース５０に作用することは防止される。その結果、免震性の阻害は抑制される。
【００５１】
また、二つ目の工夫として、図６Ａに示すように、電気プラグ６３と展示ケース５０の底部５０ａとの間には、電気プラグ６３を引き上げ支持する引き上げ支持部材７０が介装されている。そして、この引き上げ支持部材７０によれば、図６Ｂや図６Ｃに示すように電気コンセント６１から電気プラグ６３が外れた際に、電気プラグ６３が空中に浮くように電気プラグ６３を引き上げ支持する。よって、電気プラグ６３や電源ケーブル６２が床面２を摺って移動することや、これら床面２を摺って移動する電気プラグ６３や電源ケーブル６２が、床面２と滑動板１３との間に挟み込まれることは有効に回避される。
【００５２】
このような機能の引き上げ支持部材７０の一例としては、コイルスプリング等のばね部材７０が挙げられる。図６Ａに示すように、ばね部材７０の上端部７０ａは、展示ケース５０の底部５０ａに固定され、同下端部７０ｂは、電気プラグ６３の上部に固定される。また、同図６Ａの電気プラグ６３が電気コンセント６１に接続された状態下において、電気プラグ６３の下端部は床面２と略同高であり、更に、このばね部材７０には、上下方向の引っ張り力が生じている。そして、この引っ張り力の大きさは、例えば、電気プラグ６３の重量よりも大きく、当該重量と磁石の磁力との合計値よりも小さい力に予め初期設定されている。よって、外力が作用しない状態では、上記の接続状態は維持されるが、外力が作用した際には、速やかに外れ、そして、外れた際には、電気プラグ６３は床面２の上方に浮いた状態となる。
【００５３】
また、このばね部材７０の引っ張り力は、電気プラグ６３を電気コンセント６１から外す方向たる上方に作用している。そのため、電気プラグ６３に対して上方への少しの外力が作用しただけでも、当該電気プラグ６３は電気コンセント６１から外れるようになり、このことも、前述の電源ケーブル６２の引っ張りによる免震状態の阻害を有効に抑制する。
【００５４】
なお、上述のマグネット方式のコンセント６１に代えて、非接触給電方式のコンセント６１を用いても良い。非接触給電方式とは、電気コンセント６１と電気プラグ６３との間に電気接点を有さずに、例えば電磁誘導に基づいてコンセント６１から電気プラグ６３へと電力供給するものである。より詳しくは、例えばコンセント６１内のコイルに交流電流が流れるとその周囲に変動磁場が生じるが、この変動磁場により電気プラグ６３内のコイルにも交流電流が誘起し、これを照明器具の電力に使用するものである。  
そして、この非接触給電方式のコンセント６１においても、上述のマグネット方式の場合と同様に、電気プラグ６３との電気接点の接続に際し強固な差し込み構造を有しないので、比較的小さな外力で容易に電気コンセント６１から電気プラグ６３を外すことができる。そのため、前述の電源ケーブル６２の引っ張りによる免震状態の阻害を有効に抑制可能となる。
【００５５】
また、望ましくは、図７Ａに示すように、展示室の床面２のうちで免震装置１０の固定板１１が固定される面２ａの鉛直方向の高さが、同床面２のうちで固定板１１を囲む周囲の面２ｂの高さよりも高くなっていると良い。このようになっていれば、滑動板１３は、摺動時に床面２ｂ（２）に引っ掛かる等の床面２ｂ（２）との干渉をし難くなり、その結果、計画通りの免震性を発揮し易くなる。詳しくは次の通りである。
【００５６】
図７Ｂに示すように、滑動板１３の摺動時には、滑動板１３の一部が、固定板１１から側方にはみ出すが、その際、床面２ｂにおける固定板１１の周囲の面２ｂの高さと滑動板１３の高さとの高低差が小さいと、滑動板１３の剛性等の関係で滑動板１３のはみ出し部分が下方に撓む等した際に、当該はみ出し部分が床面２ｂ（２）に当接して擦ってしまい、滑動板１３の摺動を制止してしまう虞がある。
【００５７】
この点につき、この図７Ａの例では、床面２のうちで固定板１１が固定される面２ａ（２）の高さを、その周囲の面２ｂ（２）の高さよりも高くしている。例えば、この例では、建物の躯体上面１の略全面１ｂに亘って床タイル等の床仕上げ材３を敷いて、当該床仕上げ材３の上面を床面２ｂ（２）としているが、躯体上面１のうちで固定板１１が固定される面１ａについては、上記の床仕上げ材３よりも厚みの厚い合板４を嵩上げ材４として敷いて、この嵩上げ材４の上面を床面２ａ（２）としている。
【００５８】
よって、床仕上げ材３と嵩上げ材４との間の厚み差分だけ、滑動板１３は、より一層高い位置を水平移動可能となり、これにより、固定板１１からはみ出した滑動板１３の部分が、床面２における上記周囲の面２ｂに当接し難くなり、結果、滑動板１３の摺動は妨げられ難くなって、当該免震装置１０は計画通りの免震性を発揮し易くなる。
【００５９】
ちなみに、床面２のうちで固定板１１が固定される面２ａの高さと、同床面２のうちで固定板１１の周囲の面２ｂ（２）の高さとの差δは、例えば２ｍｍ〜５ｍｍの範囲の任意値に設定されると良い。
【００６０】
また、床仕上げ材３は、Ｐタイルやタイルカーペット等の床タイルに限らず、単なるカーペットでも良く、他方、嵩上げ材４も、ある程度の剛性を有し且つ平坦であれば何等上述の合板に限るものではなく、鉄板等の金属板でも良い。更に言えば、上述の床仕上げ材３については設けずに、建物の躯体上面１を床面２ｂ（２）としても良い。
【００６１】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００６２】
上述の実施形態では、展示ケース５０の平面形状が矩形形状であったため、固定板１１、滑動板１３、及び受圧板２０の平面形状を矩形形状にしていたが、何等これに限るものではない。例えば、展示ケース５０の平面形状がＬ字形状の場合には、当該形状に倣って、固定板１１、滑動板１３、及び受圧板２０の平面形状をＬ字形状にしても良いし、更に言えば、展示ケース５０の平面形状に制約されずに、展示ケース５０の平面形状とは全く異なる独自の平面形状にしても良い。
【００６３】
上述の実施形態では、載置物として展示品及び展示ケース５０を例示したが、何等これに限るものではない。例えば、展示ケース５０が無く、展示品のみを載置物としても良い。その場合には、展示物の脚部が受圧板２０の上面に当接されることになる。
【００６４】
上述の実施形態では、連結部材２２として連結プレート２２を例示したが、分割板２０ｓ，２０ｓ同士を剛結合可能な部材であれば、何等これに限るものではない。例えば、分割板２０ｓ，２０ｓ同士の間に連結部材２２として溝形鋼やＨ形鋼などの形鋼を介装するとともに、当該形鋼のフランジ板と分割板２０ｓの端面とをボルト止めや溶接等で相対移動不能に接合することによっても、上述の剛結合を達成可能である。
【００６５】
上述の実施形態では、図３Ａ及び図３Ｂに示すように、互いに隣り合う分割板２０ｓ，２０ｓ同士の間に隙間Ｇが形成されていたが、この隙間Ｇが無くなるように分割板２０ｓ，２０ｓ同士を端縁にて突き合わせて連結しても良い。なお、このようにすれば、分割板２０ｓ，２０ｓ同士の一体性をより高めることができる。
【００６６】
上述の実施形態では、分割板２０ｓ，２０ｓ同士を連結する連結部材２２たる連結プレート２２を、受圧板２０の外形輪郭の近傍位置に設置していたが、その設置位置は、何等これに限るものではなく、受圧板２０の外形輪郭から離れた位置に設けても良い。
【００６７】
上述の実施形態の説明では、滑動板１３の下面をコーティングする樹脂素材について、詳しく述べていなかったが、その素材としては、例えば、有機系摩擦材や無機系摩擦材等を使用し得る。有機系摩擦材は、熱硬化型樹脂を結合材として、アラミド繊維，ガラス繊維，ビニロン繊維，カーボンファイバーなどの繊維材料と、カシューダスト，鉛などの摩擦調整材と、硫酸バリュームなどの充填剤とからなる複合摩擦材料で形成される。上記熱硬化型樹脂としては、フェノール樹脂，メラミン樹脂，フラン樹脂，ポリイミド樹脂，ＤＦＫ樹脂，グアナミン樹脂，エポキシ樹脂，キシレン樹脂，シリコーン樹脂，ジアリルフタレーン樹脂，不飽和ポリエステル樹脂などがある。
【００６８】
上述の実施形態では、固定板１１としてステンレス板を例示し、滑動板１３として下面が樹脂コーティングされた鋼板を例示したが、何等これに限るものではない。すなわち、互いの摺動面１１ａ，１３ａ同士が所期の面圧で押し付けられた際に、計画通りの静止摩擦係数を生じる板材であれば、使用可能である。ちなみに、面圧は、展示品、展示ケース５０、及び受圧板２０の重量の合計値を、摺動面１１ａ及び摺動面１３ａの面積のうちで小さい方の面積で除算して得られる。
【００６９】
上述の実施形態では、展示ケース５０の脚部５２の受圧板２０に対する水平相対移動を規制する規制部材２７として、脚部５２を収容する円孔２７ｈが平面中心部に形成された規制プレート２７を例示し、脚部５２をその全周囲に亘って囲むようにしていたが、何等これに限るものではない。例えば、脚部５２の周囲の一部のみを囲むように規制部材２７を配置しても、一定の規制効果を得ることができる。
【００７０】
上述の実施形態では、電気プラグ６３の引き上げ支持部材７０としてコイルスプリング等のばね部材７０を例示したが、電気プラグ６３を引き上げ支持可能な部材であれば何等これに限るものではなく、ゴム等の弾性部材を用いても良い。
【００７１】
上述の実施形態では、展示ケース５０に設けられる電気器具として、照明器具を例示したが、電源ケーブル６２を用いた電力供給が必要な器具であれば、これ以外の器具でも構わない。
【符号の説明】
【００７２】
１  躯体上面、１ａ  面、１ｂ  略全面、
２  床面（地面側の部材）、２ａ  面、２ｂ  周囲の面、
３  床仕上げ材、
４  合板（嵩上げ材）、
１０  免震装置、
１１  固定板、１１ａ  摺動面、
１１ｓ  単位固定板（分割固定板）、１１ｓ’  端数固定板（分割固定板）
１３  滑動板、１３ａ  摺動面、
１３ｓ  単位滑動板（分割滑動板）、１３ｓ’  端数滑動板（分割滑動板）
２０  受圧板、２０ｓ  分割板、２０ｓａ  上面、
２２  連結プレート（連結部材）、２２ｂ  下面、
２４  ボルト、
２７  規制プレート（規制部材）、２７ｈ  円孔、２７ｈａ  内周面、
２９  ボルト、
５０  展示ケース（載置物）、５０ａ  底部（載置物）、
５２  脚部、５３  鉛直棒部材、５３ａ  上端部、５３ｂ  下端部、
５４  皿部材、
６１  電気コンセント、６２  電源ケーブル、６３  電気プラグ、
７０  ばね部材（引き上げ支持部材）、７０ａ  上端部、７０ｂ  下端部、
Ｐ２２  位置、
【図１】
0005750893.tif 000002
【図２】
0005750893.tif 000003
【図３】
0005750893.tif 000004
【図４】
0005750893.tif 000005
【図５】
0005750893.tif 000006
【図６】
0005750893.tif 000007
【図７】
0005750893.tif 000008